(57)【要約】【課題】衣服のボタンと結合してカフスボタンとして使用でき、必要に応じてはネックレスとしても使用できる装身具を提供すること。【解決手段】２個の単位体から一体的に形成される中空体で、該各単位体の一方はヒンジ部によって連結され、他方は締結溝部と該締結溝部に挟合する締結突起がそれぞれ形成されることで、該中空体は略中央で開閉自在であるとともに、該中空体の前面部には装飾部が形成されている装身具。【選択図】図３ｂ
2004073222.tif 000002
【特許請求の範囲】
【請求項１】
２個の単位体から一体的に形成される中空体であって、該各単位体の一方はヒンジ部によって連結され、他方は締結溝部と該締結溝部に挟合する締結突起がそれぞれ形成されることで、該中空体は略中央で開閉自在であるとともに、該中空体の前面部には装飾部が形成されていることを特徴とする装身具。
【請求項２】
前記中空体の全体形状は、偏平な円柱体、三角柱体、四角柱体からなる群より選ばれたいずれか一つであることを特徴とする請求項１に記載の装身具。
【請求項３】
前記各単位体の前記締結溝部及び締結突起付近には、該各単位体を分離するための指かけ部がそれぞれ形成されていることを特徴とする前記請求項１乃至２記載の装身具。
【請求項４】
前記各単位体の側面部には、チェーンを挿通するための一対の挿通穴がそれぞれ開口されていることを特徴とする前記請求項１乃至３記載の装身具。
【請求項５】
前記各単位体の前記ヒンジ部付近には、取り付け輪環が設けられていることを特徴とする前記請求項１乃至４記載の装身具。
【発明の詳細な説明】
【０００１】
【発明の属する技術分野】
本発明は装身具に関するもので、特にカフスボタン、ネックレスとしての用途に使用されて、多様な装飾的効果を発揮できるように構成されたものである。
【０００２】
【従来の技術】従来、美しく見せたい人間の欲求を充足させる為、指輪、ネックレス、イヤリング、ブレスレットとなどいろんな種類の装身具が使用され、これらは各独特な材質とデザインで製作され、使用者の欲求を充足させている。
【０００３】
しかし、従来の装身具は概ね一つの用途でしか使用されず、より多様な装飾的な効果を得ることが出来ず、特に、衣服のボタンと結合して使用する装身具は現在知られていない。
【０００４】
【発明が解決しようとする課題】
本発明の目的は衣服のボタンと結合してカフスボタンとして使用でき、必要に応じてはネックレスとしても使用でき、多様な装飾的効果を発揮する装身具を提供することである。
【０００５】
【課題を解決するための手段】
上記の目的を達成するため請求項１に記載の本発明は、２個の単位体から一体的に形成される中空体であって、該各単位体の一方はヒンジ部によって連結され、他方は締結溝部と該締結溝部に挟合する締結突起がそれぞれ形成されることで、該中空体は略中央で開閉自在であるとともに、該中空体の前面部には装飾部が形成されている装身具であることを特徴とする。請求項２に記載の発明は、前記中空体の全体形状は、偏平な円柱体、三角柱体、四角柱体からなる群より選ばれたいずれか一つである請求項１に記載の装身具であることを特徴とする。請求項３に記載の発明は、前記各単位体の前記締結溝部及び締結突起付近には、該各単位体を分離するための指かけ部がそれぞれ形成されている前記請求項１乃至２記載の装身具であることを特徴とする。
したがって、本発明に係る装身具によれば、ワイシャツのボタンをそのままカバーしてあたかもカフスボタンをしているようなおしゃれができる。
【０００６】
請求項４に記載の発明は、前記各単位体の側面部には、チェーンを挿通するための一対の挿通穴がそれぞれ開口されている前記請求項１乃至３記載の装身具であることを特徴とする。
したがって、ペンダントをぶら下げたネックレスとしての機能を発揮することもできる。
【０００７】
請求項５に記載の発明は、前記各単位体の前記ヒンジ部付近には、取り付け輪環が設けられている前記請求項１乃至４記載の装身具であることを特徴とする。
したがって、ワンポイントを付加した多彩なネックレスとして使用することができる。
【０００８】
【発明の実施の形態】
図１から図５は、本発明による装身具の第１実施例を示す図面である。第１装身具は、例えば、偏平な四角柱体のうち、趣味感に溢れる菱形状をなし、該菱形状を二等分した一対の略三角形状の単位体１、２により一体的に形成される中空体１０である。
【０００９】
各単位体１、２は、前面部１ａ、２ａと側面部１ｂ、２ｂ及び背面部１ｃ、２ｃが一体的に形成されている。すなわち、前面部１ａ、２ａが延長され後方へ折曲げられることで側面部１ｂ、２ｂが設けられ、さらに、側面部１ｂ、２ｂから延長され内側へ向かって折曲げられることで背面部１ｃ、２ｃが設けられる。
【００１０】
各単位体１、２の前面部の略中央には、例えば、ダイアモンドなどの宝石が多数取り付けられた装飾部３が形成されている。該装飾部３は、単位体１、２とは別部品として製造した後、その前面部１ａ、２ａに取り付けることができるが、例えば、凹凸模様などの装飾部３を形成する場合は、前面部１ａ、２ａと一体的に製造することができる。
【００１１】
各単位体１、２の一方は、支軸（図示せず）を貫通して形成されるヒンジ部４によって連結されている。したがって、ヒンジ部４を軸として単位体１、２が回転することで、中空体は２つに分離することができる。
【００１２】
また、単位体２の前記ヒンジ部４の他方内面部には凹んだ締結溝部（図示せず）が形成され、単位体１の他方内面部には該締結溝部に嵌合する締結突起５が形成されている。
【００１３】
よって、締結突起５を締結溝部に嵌めることで、単位体１、２を結合して中空体１０を形成することができる。また、締結突起５と締結溝部は単位体１、２の内面部に形成されるので、相当な外力がかかってこない限り、締結突起５が締結溝部から外れることはなく、結合された単位体１、２は、所定の形態を維持することができる。
【００１４】
必要に応じて、各単位体１、２の前記締結溝部及び締結突起５付近の外周面には、山形形状の指かけ部６が形成され、この指かけ部６に爪などを当てながら、単位体１、２が離れる方向に力を加えると締結溝部から締結突起５を容易に外すことができる。この場合、単位体１、２はヒンジ部４を軸として回転しながら離れ、中空体１０は２つに分割される。
【００１５】
また、各単位体１、２には、側面部１ｂ、２ｂや背面部１ｃ、２ｃにおいて、多数の穴７ｂが開口されている。この穴７ｂはその多様な形状によって装飾的な効果を発揮し、かつ、単位体が、例えば、金、プラチナ、銀などの貴金属により製造される場合には、全体の重量を軽くしてコストの削減を図ることができる。
【００１６】
特に、単位体１、２の前記締結溝部及び締結突起５付近の側面部１ｂ、２ｂには、長尺な挿通穴７ａが形成されており、該挿通穴７ａにチェーンを通すことで、中空体１０はペンダントヘッドの役割を果たし、第１装身具を首からぶら下げるネックレスとして使用することもできる。
【００１７】
図６から図８は、本発明の第２実施例を表した図面である。
第２装身具では、全体としてドーナツ形状の中空体２０をなし、単位体１１、１２は一対の半ドーナツ形状をなすもので、その一方はヒンジ部１４によって連結され、他方は締結溝部（図示せず）と締結突起１５が、第一装身具同様に形成されている。
【００１８】
単位体１１、１２の前面部には多数の宝石が取り付けられた装飾部１３と、必要に応じて、指かけ部１６と、挿通穴１７ａが形成されている点も、前記第一装身具と同様である。
【００１９】
さらに、第２装身具においては、前記ヒンジ部１４付近に大きめの取り付け輪環１８が設けられている。したがって、該取り付け輪環１８にチェーンを挿通して、第２装身具をネッレスとして使用してもよく、あるいは該取り付け輪環１８にワンポイント的な全く別の装飾体１９を繋げることもできる。
【００２０】
以下、本発明に係る装身具の使用方法を、第１装身具を主な例として説明する。
第１装身具は、図３ｂ及び図３ａに示すように、各単位体１、２の指かけ部６に爪などをひっかけて、各単位体１、２を開き、分離した状態でその間にボタン８を位置させる。
それから、各単位体１、２に指などで押して閉鎖方向に力を加えると、締結突起５は締結溝部へ嵌められ、単位体１、２は結合され、菱形状の中空体１０を形成する。
【００２１】
このとき、単位体１、２の側面部１ｂ、２ｂは、ボタン８の外周部を囲むように位置され、背面部１ｃ、２ｃはボタン８の後部分に位置される。この場合、ボタン８は中空体１０内に完全に収容され、かつ単位体１、２がボタン８から離脱することはない。
【００２２】ボタン８が外部からは見えなくなり、ボタン８をカバーする単位体１、２の前面部１ａ、２ａと装飾部３のみが外部に表出される。したがって、カフスボタンをしていないのに、あたかもカフスボタンを使用しているように見えて、優れた装飾的な効果を発揮できる。
【００２３】
しかも、従来のカフスボタンと異なり第一装身具は軽量な中空体１０であるから、ワイシャツの袖口でもじゃまにならず、装着感にきわめて優れたカフスボタンとすることができる。
【００２４】
一方、第１装身具は、図７に示すように、各単位体１、２の側面部に形成された一方から他方の挿通穴７ａにチェーン９を通し、首からぶら下げることで、第１装身具をペンダントヘッドとするネックレスとして使用することができる。
【００２５】
なお、第２装身具の使用方法は、第１装身具とほぼ同様であるが、図８に示すように、例えば、コインや円板形状にカッティングされた宝石を中心に挟みこむことができる。よって、挿通穴１７ａにチェーン９を通すことで、コインや宝石をペンダントヘッドとするネックレスとして使用することができる。
【００２６】
さらに、第２装身具においては、輪環１８に別途の装飾体１９、例えば、紐状アクセサリーを締結などして、より多彩な装飾効果を発揮することもできる。
【００２７】
また、第１装身具をボタン８から離脱する場合は、再び各単位体１、２の指かけ部６に爪などをひっかけて、各単位体１．２が離れる方向に力を加えると、締結突起５が締結溝部から離脱し、中空体１０が開放して、第１装身具１０をボタン８から簡単に外すことができる。
【００２８】
本発明は、上記の実施形態に限定されず、本発明の精神を逸脱しない限り、種々変形して実施することができる。例えば、中空体の形状は、前記したものに限られるわけではなく、星形状、ハート形状など種々の装飾的な形状とすることができる。
さらに、双方の単位体は、締結溝部と締結突起による挟合に限られるわけでなく、強力磁石により結合して、所定形状の中空体を形成することも可能である。
【００２９】
【発明の効果】
本発明に係る装身具によれば、ワイシャツのボタンをそのために取り外す必要もなく、そのままカバーしてあたかもカフスボタンをしているようなおしれができる。装着も容易で、軽量かつかさばることがない。よって、時と場合に応じてフォーマルな装いを簡単にすることができる。
また、本発明に係る装身具は、別途のチェーンを挿通することで、ペンダントをぶら下げたネックレスとしての機能を発揮することもできる。
さらに、コインや宝石などをカバーすることにより、ひとつの装身具でありながら、種々の異なる素材を使用できる多彩なネックレスとして使用することができる。
【図面の簡単な説明】
【図１】第１装身具の表面部を示す斜視図である。
【図２】第１装身具の背面部を斜視図である。
【図３ａ】第１装身具とボタンの結合状態を示す正面図である。
【図３ｂ】第１装身具とボタンの結合方法を示す正面図である。
【図４】図１のＡ−Ａ線断面図である。
【図５】図１のＢ−Ｂ線断面図である。
【図６ａ】第２装身具とコインの結合方法を示す正面図である。
【図６ｂ】第２装身具とコインの結合状態を示す正面図である。
【図７】第１装身具にチェーンを通した状態を示す斜視図である。
【図８】第２装身具にチェーンを通し、別のアクセサリーを締結した状態を示す斜視図である。
【符号の説明】
１　単位体
１ａ　前面部
１ｂ　　側面部
１ｃ　　背面部
２　　単位体
２ａ　前面部
２ｂ　側面部
２ｃ　　背面部
３　　装飾部
４　　ヒンジ部
５　　締結突起
６　　指かけ部
７ａ　挿通穴
７ｂ　穴部
８　　ボタン
９　　チェーン
１０　中空体
１１　単位体
１３　装飾部
１４　ヒンジ部
１５　　締結突起
１６　　指かけ部
１７ａ　挿通穴
１８　取り付け輪環
１９装飾体
【図１】
2004073222.tif 000003
【図２】
2004073222.tif 000004
【図３ａ】
2004073222.tif 000005
【図３ｂ】
2004073222.tif 000006
【図４】
2004073222.tif 000007
【図５】
2004073222.tif 000008
【図６ａ】
2004073222.tif 000009
【図６ｂ】
2004073222.tif 000010
【図７】
2004073222.tif 000011
【図８】
2004073222.tif 000012